(57)【要約】【課題】  ＤＶＤドライブのトレイを不用意に開いてしまう事故を防止できるようにする。【解決手段】  デジタル複写機は、その備えている情報処理ユニット部にバックアップ用のプログラム等が記憶されたＤＶＤを装填したＤＶＤドライブを備えており、システムが何らかの状態でダウンしてしまった場合等に、このＤＶＤからプログラムを読み出してリストアできる。このＤＶＤドライブは、デジタル複写機の主電源スイッチがオフにされていて（ステップＳ１のＹ）、かつ、操作パネルで所定のキーを所定の順序で操作した場合（ステップＳ４のＹ）に限り、ＤＶＤドライブのトレイを開くトレイ開放信号を出力する。【選択図】    図６
2005085396.tif 000002
【特許請求の範囲】
【請求項１】
少なくとも演算装置を有する装置本体と、
この装置本体にて用いられるプログラムを記憶した記憶媒体を装置本体に対して交換可能に支持するとともに、前記記憶媒体が前記装置本体内部に装着された第１の位置と前記記憶媒体が前記装置本体外に排出された第２の位置との間で移動可能な支持手段と、
前記装置本体に対して、通常の動作が可能な第１の状態と通常の動作が不可能な第２の状態とを選択的に指示する指示手段と、
この指示手段が前記装置本体に対して前記第２の状態を指示しているときのみ、前記支持手段を前記第１の位置から前記第２の位置に移動可能とする制御手段と、
を具備する情報処理装置。
【請求項２】
少なくとも演算装置を有する装置本体と、
この装置本体にて用いられるプログラムを記憶した記憶媒体を装置本体に対して交換可能に支持するとともに、前記記憶媒体が前記装置本体内部に装着された第１の位置と前記記憶媒体が前記装置本体外に排出された第２の位置との間で移動可能な支持手段と、
前記装置本体に対して、通常の動作が可能な第１の状態と通常の動作が不可能な第２の状態とを選択的に指示する指示手段と、
この指示手段が前記装置本体に対して前記第１の状態を指示している間は、前記支持手段が前記第１の位置から前記第２の位置に移動することを禁止する制御手段と、
を具備する情報処理装置。
【請求項３】
少なくとも演算装置を有する装置本体と、
この装置本体にて用いられるプログラムを記憶した記憶媒体を装置本体に対して交換可能に支持するとともに、前記記憶媒体が前記装置本体内部に装着された第１の位置と前記記憶媒体が前記装置本体外に排出された第２の位置との間で移動可能な支持手段と、
前記装置本体に対して動作指示を入力する複数の入力手段と、
これら複数の入力手段が所定の順序で操作されたときのみ、前記支持手段を前記第１の位置から前記第２の位置に移動可能とする制御手段と、
を具備する情報処理装置。
【請求項４】
少なくとも演算装置を有する装置本体と、
この装置本体にて用いられるプログラムを記憶した記憶媒体を装置本体に対して交換可能に支持するとともに、前記記憶媒体が前記装置本体内部に装着された第１の位置と前記記憶媒体が前記装置本体外に排出された第２の位置との間で移動可能な支持手段と、
前記装置本体に対して動作指示を入力する複数の入力手段と、
前記装置本体に対して、通常の動作が可能な第１の状態と通常の動作が不可能な第２の状態とを選択的に指示する指示手段と、
この指示手段が前記装置本体に対して前記第２の状態を指示し、かつ複数の入力手段が所定の順序で操作されたときのみ、前記支持手段を前記第１の位置から前記第２の位置に移動可能とする制御手段と、
を具備する情報処理装置。
【請求項５】
所定の機能を有した親装置と、
この親装置と一体的に設けられ、少なくとも演算装置を有する情報処理装置と、
この情報処理装置に設けられ、前記親装置にて用いられるプログラムを記憶した記憶媒体を前記情報処理装置本体に対して交換可能に支持するとともに、前記記憶媒体が前記情報処理装置本体内部に装着された第１の位置と前記記憶媒体が前記情報処理装置本体外に排出された第２の位置との間で移動可能な支持手段と、
前記親装置に対して、前記所定の機能が動作可能な第１の状態と前記所定の機能が動作不可能な第２の状態とを選択的に指示する指示手段と、
この指示手段が前記親装置に対して前記第２の状態を指示しているときのみ、前記支持手段を前記第１の位置から前記第２の位置に移動可能とする制御手段と、
を具備する情報処理システム。
【請求項６】
所定の機能を有した親装置と、
この親装置と一体的に設けられ、少なくとも演算装置を有する情報処理装置と、
この情報処理装置に設けられ、前記親装置にて用いられるプログラムを記憶した記憶媒体を前記情報処理装置本体に対して交換可能に支持するとともに、前記記憶媒体が前記情報処理装置本体内部に装着された第１の位置と前記記憶媒体が前記情報処理装置本体外に排出された第２の位置との間で移動可能な支持手段と、
前記親装置に対して、前記所定の機能が動作可能な第１の状態と前記所定の機能が動作不可能な第２の状態とを選択的に指示する指示手段と、
この指示手段が前記親装置に対して前記第１の状態を指示している間は、前記支持手段が前記第１の位置から前記第２の位置に移動することを禁止する制御手段と、
を具備する情報処理システム。
【請求項７】
所定の機能を有した親装置と、
この親装置と一体的に設けられ、少なくとも演算装置を有する情報処理装置と、
この情報処理装置に設けられ、前記親装置にて用いられるプログラムを記憶した記憶媒体を前記情報処理装置本体に対して交換可能に支持するとともに、前記記憶媒体が前記情報処理装置本体内部に装着された第１の位置と前記記憶媒体が前記情報処理装置本体外に排出された第２の位置との間で移動可能な支持手段と、
前記情報処理装置に設けられ、前記情報処理装置に対して動作指示を入力する複数の入力手段と、
前記親装置に対して、前記所定の機能が動作可能な第１の状態と、前記所定の機能が動作不可能な第２の状態とを選択的に指示する指示手段と、
この指示手段が前記親装置に対して前記第２の状態を指示し、かつ前記複数の入力手段が所定の順序で操作されたときのみ、前記支持手段を前記第１の位置から前記第２の位置に移動可能とする制御手段と、
を具備する情報処理システム。
【発明の詳細な説明】
【技術分野】
【０００１】
本発明は、各種の情報処理の実行が可能な情報処理装置及びこの情報処理装置を備えている情報処理システムに関する。
【背景技術】
【０００２】
近年、大容量のリムーバブルメディアとしてＤＶＤが広く利用されるようになり、ＤＶＤドライブがパーソナルコンピュータにも搭載されるようになっている。このようなＤＶＤドライブは、例えば、特許文献１に開示されている。
【０００３】
また、従来の一般的なＤＶＤドライブ（あるいはＣＤドライブ）では、電源が入っていない状態でもＤＶＤを装填するトレイを開かねばならない非常の場合のために、トレイの前部にピンや針金を差し込めるような小孔が形成されている。
【０００４】
【特許文献１】特開２００３−１８６８８５公報
【発明の開示】
【発明が解決しようとする課題】
【０００５】
しかしながら、前述のようにピンや針金を差し込んでトレイをこじ開けるのは不便であるため、ＤＶＤドライブに充電コンデンサを備え、その充電電力を駆動源として電源が入っていない状態でも、エジェクトボタンを操作することによりトレイを電動で開閉できるようにすることが考えられる。
【０００６】
しかしながら、このようなエジェクトボタンを操作するシステムであると、エジェクトボタンを操作しさえすれば、いつでも簡単にトレイを開くことができるため、常時ＤＶＤを装填しておき、トラブル発生などの非常時にのみトレイを開くような用途のＤＶＤドライブである場合は、エジェクトボタンの誤操作でトレイが開放されてしまう事故が発生しやすく、安全にシステムを利用することができないという不具合がある。
【０００７】
本発明の目的は、ＤＶＤドライブなどの記憶媒体を装填できる情報処理装置について、記憶媒体を支持するトレイなどの支持手段を不用意に操作して記憶媒体を排出してしまう事故を防止できるようにすることである。
【課題を解決するための手段】
【０００８】
本発明は、少なくとも演算装置を有する装置本体と、この装置本体にて用いられるプログラムを記憶した記憶媒体を装置本体に対して交換可能に支持するとともに、前記記憶媒体が前記装置本体内部に装着された第１の位置と前記記憶媒体が前記装置本体外に排出された第２の位置との間で移動可能な支持手段と、前記装置本体に対して、通常の動作が可能な第１の状態と通常の動作が不可能な第２の状態とを選択的に指示する指示手段と、この指示手段が前記装置本体に対して前記第２の状態を指示しているときのみ、前記支持手段を前記第１の位置から前記第２の位置に移動可能とする制御手段と、を具備する情報処理装置である。
【０００９】
別の本発明は、少なくとも演算装置を有する装置本体と、この装置本体にて用いられるプログラムを記憶した記憶媒体を装置本体に対して交換可能に支持するとともに、前記記憶媒体が前記装置本体内部に装着された第１の位置と前記記憶媒体が前記装置本体外に排出された第２の位置との間で移動可能な支持手段と、前記装置本体に対して、通常の動作が可能な第１の状態と通常の動作が不可能な第２の状態とを選択的に指示する指示手段と、この指示手段が前記装置本体に対して前記第１の状態を指示している間は、前記支持手段が前記第１の位置から前記第２の位置に移動することを禁止する制御手段と、を具備する情報処理装置である。
【００１０】
別の本発明は、少なくとも演算装置を有する装置本体と、この装置本体にて用いられるプログラムを記憶した記憶媒体を装置本体に対して交換可能に支持するとともに、前記記憶媒体が前記装置本体内部に装着された第１の位置と前記記憶媒体が前記装置本体外に排出された第２の位置との間で移動可能な支持手段と、前記装置本体に対して動作指示を入力する複数の入力手段と、これら複数の入力手段が所定の順序で操作されたときのみ、前記支持手段を前記第１の位置から前記第２の位置に移動可能とする制御手段と、を具備する情報処理装置である。
【００１１】
別の本発明は、少なくとも演算装置を有する装置本体と、この装置本体にて用いられるプログラムを記憶した記憶媒体を装置本体に対して交換可能に支持するとともに、前記記憶媒体が前記装置本体内部に装着された第１の位置と前記記憶媒体が前記装置本体外に排出された第２の位置との間で移動可能な支持手段と、前記装置本体に対して動作指示を入力する複数の入力手段と、前記装置本体に対して、通常の動作が可能な第１の状態と通常の動作が不可能な第２の状態とを選択的に指示する指示手段と、この指示手段が前記装置本体に対して前記第２の状態を指示し、かつ複数の入力手段が所定の順序で操作されたときのみ、前記支持手段を前記第１の位置から前記第２の位置に移動可能とする制御手段と、を具備する情報処理装置である。
【００１２】
別の本発明は、所定の機能を有した親装置と、この親装置と一体的に設けられ、少なくとも演算装置を有する情報処理装置と、この情報処理装置に設けられ、前記親装置にて用いられるプログラムを記憶した記憶媒体を前記情報処理装置本体に対して交換可能に支持するとともに、前記記憶媒体が前記情報処理装置本体内部に装着された第１の位置と前記記憶媒体が前記情報処理装置本体外に排出された第２の位置との間で移動可能な支持手段と、前記親装置に対して、前記所定の機能が動作可能な第１の状態と前記所定の機能が動作不可能な第２の状態とを選択的に指示する指示手段と、この指示手段が前記親装置に対して前記第２の状態を指示しているときのみ、前記支持手段を前記第１の位置から前記第２の位置に移動可能とする制御手段と、を具備する情報処理システムである。
【００１３】
別の本発明は、所定の機能を有した親装置と、この親装置と一体的に設けられ、少なくとも演算装置を有する情報処理装置と、この情報処理装置に設けられ、前記親装置にて用いられるプログラムを記憶した記憶媒体を前記情報処理装置本体に対して交換可能に支持するとともに、前記記憶媒体が前記情報処理装置本体内部に装着された第１の位置と前記記憶媒体が前記情報処理装置本体外に排出された第２の位置との間で移動可能な支持手段と、前記親装置に対して、前記所定の機能が動作可能な第１の状態と前記所定の機能が動作不可能な第２の状態とを選択的に指示する指示手段と、この指示手段が前記親装置に対して前記第１の状態を指示している間は、前記支持手段が前記第１の位置から前記第２の位置に移動することを禁止する制御手段と、を具備する情報処理システムである。
【００１４】
別の本発明は、所定の機能を有した親装置と、この親装置と一体的に設けられ、少なくとも演算装置を有する情報処理装置と、この情報処理装置に設けられ、前記親装置にて用いられるプログラムを記憶した記憶媒体を前記情報処理装置本体に対して交換可能に支持するとともに、前記記憶媒体が前記情報処理装置本体内部に装着された第１の位置と前記記憶媒体が前記情報処理装置本体外に排出された第２の位置との間で移動可能な支持手段と、前記情報処理装置に設けられ、前記情報処理装置に対して動作指示を入力する複数の入力手段と、前記親装置に対して、前記所定の機能が動作可能な第１の状態と、前記所定の機能が動作不可能な第２の状態とを選択的に指示する指示手段と、この指示手段が前記親装置に対して前記第２の状態を指示し、かつ前記複数の入力手段が所定の順序で操作されたときのみ、前記支持手段を前記第１の位置から前記第２の位置に移動可能とする制御手段と、を具備する情報処理システムである。
【発明の効果】
【００１５】
本発明によれば、指示手段が装置本体あるいは親装置に対して通常の動作が不可能な第２の状態を指示したとき、あるいは、複数の入力手段が所定の順序で操作されたとき、あるいは、これらの２つの条件が満足された場合のみ、支持手段を記憶媒体が装置本体内部に装着された第１の位置から装置本体外に排出された第２の位置に移動可能とするので、
不用意に指示手段から記憶媒体が排出される事故を防止することができる。
【発明を実施するための最良の形態】
【００１６】
本発明を実施するための最良の一形態について説明する。
【００１７】
本実施の形態は、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるデジタルカラー複合機に本発明を適用した例を示す。
【００１８】
図１は、本実施の形態のデジタルカラー複合機１を含むシステム構成図である。図１に示すように、本実施の形態においては、デジタルカラー複合機１に通信ネットワークであるＬＡＮ（Local Area Network）２を介し、各種の情報処理を実行するサーバコンピュータ３や複数台のクライアントコンピュータ４が接続されたシステムを想定する。サーバコンピュータ３は、例えばＦＴＰ，ＨＴＴＰプロトコルをサポートしたり、ＷｅｂサーバやＤＮＳ（ドメインネームサーバ）の機能を実現するものである。すなわち、このシステムにおいては、デジタルカラー複合機１が備えている画像入力機能（スキャナ機能）、画像出力機能（プリント機能）及び画像蓄積機能等の画像処理機能を、ＬＡＮ２上でシェアし得る環境が構築されているものである。
【００１９】
このようなシステムは、通信制御ユニット５を介してインターネット網６に接続され、インターネット網６を介して外部環境とデータ通信可能に構築されている。通信制御ユニット５としては、ルータ、交換機、モデム、ＤＳＬモデム等が一般的であるが、最低限ＴＣＰ／ＩＰ通信が可能であればよい。また、ＬＡＮ２は有線通信に限るものではなく、無線通信（赤外線や電波等）であってもよい。また、光ファイバーを用いたものであってもよい。
【００２０】
次に、デジタルカラー複合機１について説明する。ここで、図２はデジタルカラー複合機１を概略的に示す外観斜視図、図３はデジタルカラー複合機１の各部の電気的接続を示すブロック図である。図２に示すように、デジタルカラー複合機１は、転写紙などの媒体に画像を形成する画像形成装置である印刷装置７の上部に、原稿から画像を読み取る画像読取装置８を配設した構成とされている。また、画像読取装置８の装置外面には、オペレータに対する表示とオペレータからの機能設定等の各種の入力を許容する操作パネルＰが設けられている。さらに、操作パネルＰの下部には、光ディスク、フレキシブルディスクなどの記憶媒体Ｍ（図３参照）に記憶されているプログラムコードや画像データ等を読み取る、又は、記憶媒体Ｍに対してプログラムコードや画像データ等を書き込む装置である外部メディア入出力装置９が、記憶媒体Ｍの挿入を許容する挿入口を外部に露出させて設けられている。
【００２１】
このようなデジタルカラー複合機１のストラクチャとしては、図３に示すように、画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。
【００２２】
画像処理ユニット部Ａについて説明する。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。
【００２３】
印刷制御ユニット１１は、画像処理制御ユニット１０の制御に従って印刷装置７に対して画像データを含む印刷指示を出力し、印刷装置７に転写紙などの媒体に画像を形成して出力させる。印刷装置７はフルカラー印刷可能とされており、その印刷方式は、電子写真方式のほか、インクジェット方式、昇華型熱転写方式、銀塩写真方式、直接感熱記録方式、溶融型熱転写方式など、さまざまな方式を用いることができる。
【００２４】
画像読取制御ユニット１２は、画像処理制御ユニット１０の制御により画像読取装置８を駆動し、原稿の表面に対するランプ照射の反射光をミラー及びレンズにより受光素子（例えば、ＣＣＤ（Charge Coupled Device））に集光して読み取り、Ａ／Ｄ変換してＲＧＢ各８bitのデジタル画像データを生成する。
【００２５】
このような画像処理制御ユニット１０は、メインプロセッサであるＣＰＵ（Central Processing Unit）１３と、画像読取装置８から読み込んだ画像データを印刷装置７による作像に供すべく一旦格納しておくＳＤＲＡＭ（Synchronous Dynamic Random Access Memory）１４と、制御プログラム等を記憶したＲＯＭ（Read Only Memory）１５と、システムログ／システム設定／ログ情報等を記録しておく電源ＯＦＦ時にもデータの保持が可能なＮＶＲＡＭ１６と、をバス接続したマイクロコンピュータ構成とされている。
【００２６】
また、画像処理制御ユニット１０には、多量の画像データの蓄積やジョブ履歴等の記憶装置となるＨＤＤ（Hard Disk Drive）１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ）２２に接続されており、デジタルカラー複合機１は、遠隔のファクシミリ装置と交信することができる。
【００２７】
加えて、画像処理制御ユニット１０には、表示制御ユニット２３及び操作入力制御ユニット２４が接続されている。表示制御ユニット２３は、画像処理制御ユニット１０のコントロールによって制御パネルＩ／Ｆ２５に接続された通信ケーブル２６を介して情報処理ユニット部Ｂに対して画像表示制御信号を出力し、情報処理ユニット部Ｂの操作パネルＰに対して画像表示の制御を行う。また、操作入力制御ユニット２４は、情報処理ユニット部Ｂの操作パネルＰからのオペレータによる機能設定や入力操作に応じた入力制御信号を、画像処理制御ユニット１０のコントロールによって制御パネルＩ／Ｆ２５に接続された通信ケーブル２６を介して入力する。すなわち、画像処理ユニット部Ａは、情報処理ユニット部Ｂの操作パネルＰを通信ケーブル２６を介して直接モニタすることができる構成になっている。
【００２８】
したがって、画像処理ユニット部Ａは、従来の画像処理装置が備える画像処理ユニットに対して通信ケーブル２６を接続し、情報処理ユニット部Ｂの操作パネルＰを利用するようにしたものである。すなわち、画像処理ユニット部Ａの表示制御ユニット２３及び操作入力制御ユニット２４は、操作パネルＰに接続されているものとして動作している。
【００２９】
このような構成により、画像処理ユニット部Ａは、外部（サーバコンピュータ３、クライアントコンピュータ４、ファクシミリ装置等）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。
【００３０】
また、画像処理ユニット部Ａは、ＳＤＲＡＭ１４やＨＤＤ１７に記憶されている印刷データ、原稿読取りデータ、これらを出力用に処理した出力画像データ、及び、それらを圧縮した圧縮データを外部（サーバコンピュータ３、クライアントコンピュータ４、ファクシミリ等）に転送することができる。
【００３１】
さらに、画像処理ユニット部Ａは、画像読取装置８の読取り画像データを画像処理制御ユニット１０に転送し、光学系及びデジタル信号への量子化に伴う信号劣化を補正し、該画像データをＳＤＲＡＭ１４に書込む。このようにしてＳＤＲＡＭ１４に格納された画像データは、印刷制御ユニット１１で出力画像データに変換されて、印刷装置７に出力される。
【００３２】
次に、操作パネルＰを備える情報処理ユニット部Ｂについて説明する。情報処理ユニット部Ｂは、一般にパーソナルコンピュータといわれるような情報処理装置に用いられる汎用のＯＳ（Operating System）によって制御されるマイクロコンピュータ構成とされている。情報処理ユニット部Ｂは、メインプロセッサであるＣＰＵ３１を有しており、このＣＰＵ３１には、ＣＰＵ３１の作業用領域となるＲＡＭや起動プログラムなどを記憶した読出し専用メモリであるＲＯＭで構成されるメモリユニット３２と、ＯＳ（Operating System）やアプリケーションプログラムを記憶するＨＤＤ等の記憶装置３４に対するデータの入出力を制御する記憶装置制御ユニット３５とが、バス接続されている。
【００３３】
また、ＣＰＵ３１には、情報処理ユニット部Ｂを、ＨＵＢ１９を介してＬＡＮ２に接続するための通信インターフェースであるＬＡＮ制御部３３が接続されている。このＬＡＮ制御部３３に割り当てられるネットワークアドレスであるＩＰアドレスは、前述した画像処理ユニット部ＡのＬＡＮ制御部１８に割り当てられるＩＰアドレスとは異なるものである。すなわち、本実施の形態のデジタルカラー複合機１には、２つのＩＰアドレスが割り当てられていることになる。つまり、画像処理ユニット部Ａと情報処理ユニット部ＢとはそれぞれＬＡＮ２に接続されていることになり、画像処理ユニット部Ａと情報処理ユニット部Ｂとの間においてはデータ交換が可能な構成になっている。
【００３４】
なお、デジタルカラー複合機１はＨＵＢ１９を介してＬＡＮ２に接続されていることから、見かけ上は、１つのＩＰアドレスのみが割り当てられているように見える。したがって、美観を損ねることはなく、結線等の取り扱いを容易にすることが可能になっている。
【００３５】
さらに、ＣＰＵ３１には、操作パネルＰを制御する表示制御ユニット３６及び操作入力制御ユニット３７が接続されている。ここで、図４は操作パネルＰの構成を示す平面図である。図４に示すように、操作パネルＰは、例えばＬＣＤ（Liquid Crystal Display）である表示装置４０と、操作入力装置４１とで構成されている。操作入力装置４１は、表示装置４０の表面に積層された超音波弾性波方式等のタッチパネル４１ａと、複数のキーを有するキーボード４１ｂとで構成されている。キーボード４１ｂには、画像読み取りの開始を宣言するためのスタートキー、数値入力を行うためのテンキー、読み取った画像データの送信先を設定する読取条件設定キー、クリアキー等が設けられている。すなわち、表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置４１におけるオペレータによる機能設定や入力操作に応じた入力制御信号を、制御パネルＩ／Ｆ３８を介して受信する。
【００３６】
加えて、ＣＰＵ３１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのオペレータによる機能設定や入力操作に応じた入力制御信号を画像処理ユニット部Ａに転送する。なお、詳細は後述するが、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのオペレータによる機能設定や入力操作に応じた入力制御信号は画像処理ユニット部Ａでの仕様に応じた形式にデータ変換処理されてから制御パネル通信ユニット３９に入力される。
【００３７】
上述したように記憶装置３４には、ＣＰＵ３１が実行するＯＳ（Operating System）やアプリケーションプログラムが格納されている。この意味で、記憶装置３４は、アプリケーションプログラムを記憶する記憶媒体として機能する。このデジタルカラー複合機１では、ユーザが電源を投入するとＣＰＵ３１がメモリユニット３２内の起動プログラムを起動させ、記憶装置３４よりＯＳをメモリユニット３２内のＲＡＭに読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。情報処理ユニット部ＢのＯＳは、情報処理装置（サーバコンピュータ３やクライアントコンピュータ４等）と同種のＯＳ、すなわち汎用のＯＳ（例えば、Ｗｉｎｄｏｗｓ（登録商標）等）とされている。
【００３８】
なお、前述したように、本実施の形態のデジタルカラー複合機１には、ＯＳ、デバイスドライバや各種アプリケーションプログラム等の各種のプログラムコード（制御プログラム）や画像データ等を記憶した記憶媒体Ｍ、すなわち、フレキシブルディスク、ハードディスク、光ディスク（ＣＤ−ＲＯＭ，ＣＤ−Ｒ，ＣＤ−ＲＷ，ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷなど）、光磁気ディスク（ＭＯ）、半導体メディアなどの記憶媒体Ｍに記憶されているプログラムコードや画像データ等を読み取る、又は記憶媒体Ｍに対してプログラムコードや画像データ等を書き込む装置であるフレキシブルディスクドライブ装置、光ディスクドライブ装置、ＭＯドライブ装置、メディアドライブ装置等の外部メディア入出力装置９が搭載されている。このような外部メディア入出力装置９は、ＣＰＵ３１にバス接続されている入出力デバイス制御ユニット４２により制御される。
【００３９】
したがって、記憶装置３４に記憶されているアプリケーションプログラムは、この記憶媒体Ｍに記録されたアプリケーションプログラムがインストールされたものであってもよい。このため、記憶媒体Ｍも、アプリケーションプログラムを記憶する記憶媒体となり得る。さらには、アプリケーションプログラムは、例えばインターネット網６及びＬＡＮ２を介して外部から取り込まれ、記憶装置３４にインストールされてもよい。
【００４０】
なお、入出力デバイス制御ユニット４２には、ＵＳＢ，ＩＥＥＥ１３９４，ＳＣＳＩ等の各種インターフェース４３も接続されており、各種インターフェース４３を介して様々な機器（デジタルカメラ等）が接続可能とされている。
【００４１】
次に、デジタルカラー複合機１で実行する特徴的な処理の内容について説明する。
【００４２】
図４は、デジタルカラー複合機１の電源系統等の回路構成を示すブロック図である。図４に示すように、情報処理システムとなるデジタルカラー複合機１は、商用交流電源から電源回路５１により得られるＤＣ電源を変換して各部にＤＣ電源を供給するＤＣ／ＤＣコンバータ５２を備えている。演算装置となるＣＰＵ３１が各種演算を行い、デジタルカラー複合機１の各部を集中的に制御するのに対し、ＭＰＵ５３は、デジタルカラー複合機１の電源管理を行なう。このＭＰＵ５３は、商用交流電源やバッテリ５４を電源としてＤＣ／ＤＣコンバータ５２の電力の供給を制御する。このような電源系統の構成により、装置本体となる情報処理ユニットＢのみならず、この情報処理ユニットＢを備えた親装置となる画像処理ユニット部Ａにも電力を供給する。
【００４３】
各種インターフェース４３を構成する所定のインターフェースにはＤＶＤドライブ５５が接続されている。すなわち、ＤＶＤドライブ５５は記憶媒体となるＤＶＤがそのトレイ６２（図５参照）内に装填されている。ＤＶＤには、装置本体となる情報処理ユニットＢで用いられるプログラムを記憶していて、ＤＶＤドライブ５５は情報処理ユニットＢに対して交換可能にＤＶＤを支持し、ＤＶＤが情報処理ユニットＢの内部に装着された第１の位置と、情報処理ユニット部Ｂの外部に排出された第２の位置との間で移動可能である。記憶媒体はＤＶＤのほかにもＣＤなど様々なメディアを用いることができ、この場合には、ＤＶＤドライブ５５もＤＶＤドライブではなく、ＣＤドライブなど様々な装置が使用される。このＤＶＤには、記憶装置３４にインストールされているＯＳやアプリケーションプログラムが記憶されている。すなわち、このリムーバブルメディアは、記憶装置３４にインストールされているＯＳやアプリケーションプログラムなどがトラブルで破壊された場合などのバックアップ用に常時装填されている。
【００４４】
図５は、ＤＶＤドライブ５５の電気系統のブロック図である。ＤＶＤドライブ５５では、ＭＰＵ６１がモータ６３を制御して開閉手段であるトレイ６２を開閉駆動することができる。
【００４５】
ここで、デジタルカラー複合機１では、着脱可能な記憶媒体としてのＤＶＤには、前述のようなバックアップ用のプログラム等が記憶されており、システムが何らかの状態でダウンしてしまった場合等に、このＤＶＤからプログラムを読み出してリストアできる。
【００４６】
従って、このようなプログラムを記憶したＤＶＤがユーザにより不用意に取り出されてはならない。そのために、このＤＶＤを格納したＤＶＤドライブ５５に対して、イジェクトボタンやイジェクトピンによる機械的な強制開放機構を有していない。
【００４７】
しかしながら、デジタルカラー複合機１に用いられるプログラムはバージョンアップ等のために定期的に書き換える必要が生じる。そのため、デジタルカラー複合機１では、デジタルカラー複合機１をサポートするサービスマンのみが知りうる所定の手段でのみＤＶＤドライブ５５を開放し、ＤＶＤを交換することができるように以下に説明する手段を講じている。
【００４８】
具体的には、次の１．〜３．のいずれかの条件でＤＶＤドライブ５５を開放する。
【００４９】
１．通常はそれぞれ別の機能を有する複数のボタンを、決まった順序で操作することによりＤＶＤドライブ５５を開放する。
【００５０】
２．デジタルカラー複合機１の主電源がオフになっているとき（ユーザが、デジタルカラー複合機１により通常提供される機能を受けられないとき）のみ、ＤＶＤドライブ５５を開放する。
【００５１】
３．あるいは、この１と２の条件を両方満たす場合にＤＶＤドライブ５５を開放する。
【００５２】
次に、ＭＰＵ５３が所定の制御プログラムに基づいて実行する、かかる処理の内容を、図６のフローチャートを参照して説明する。ここで説明する処理の内容は、前述の３．の場合の例である。
【００５３】
前述のようにＭＰＵ５３は、デジタルカラー複合機１の主電源が投入されているかいなかにかかわらず電源回路であるＤＣ／ＤＣコンバータ５２から電力の供給を受けて常時デジタルカラー複合機１の電源系統を管理している。そして、図６に示すように、デジタルカラー複合機１の主電源スイッチ（指示手段）が投入されているときには（ステップＳ１のＹ）、操作パネルＰと、ＣＰＵ３１及びＤＶＤドライブ５５を含むＣＰＵ３１の周辺機器（符号５７。図４において、そのすべてを図示してはいない）、すなわち、情報処理ユニット部Ｂと、画像処理ユニット部Ａとに対して電力を供給する（ステップＳ２）。これにより、デジタルカラー複合機１は通常の動作が可能な第１の状態となる。
【００５４】
これに対し、デジタルカラー複合機１の主電源スイッチ（指示手段）が投入されていないときには（ステップＳ１のＮ）、操作パネルＰには電力を供給するが、情報処理ユニット部Ｂ（ＣＰＵ３１及びその周辺機器（符号５７））及び画像処理ユニット部Ａには電力を供給しない（ステップＳ３）。よって、この場合は、デジタルカラー複合機１は通常の動作が不可能な第２の状態となり、ＤＶＤドライブ５５も操作できない。
【００５５】
しかし、操作パネルＰには電力が供給されるので、操作可能であり、何らかのトラブルが発生し、トレイ６２を開いてＤＶＤを取り出す必要性が生じたときは、ユーザが入力手段である操作パネルＰで所定のキーを所定の順序で操作すると（ステップＳ４のＹ）、ＭＰＵ５３はＣＰＵ３１及びその周辺機器（符号５７）に電力の供給を開始し、ＤＶＤドライブ５５を動作可能として、トレイ６２の開放（第２の位置への移動）を指示するトレイ開放信号を出力する（ステップＳ５）。また、デジタルカラー複合機１は通常の動作が可能な第１の状態にあるとき（ステップＳ２）、あるいは、操作パネルＰで所定の操作が行われないときは（ステップＳ４のＮ）、トレイ６２のクローズ（第１の位置の維持）を指示するトレイクローズ信号を出力する（ステップＳ６）。
【００５６】
図７は、この場合のＤＶＤドライブ５５におけるＭＰＵ６１が実行する処理のフローチャートである。ＭＰＵ６１は、前述のようなトレイ開放信号を受信したときは（ステップＳ１１のＹ）、トレイ６２を開放（第２の位置への移動）する（ステップＳ１２）。トレイクローズ信号を受信したときは（ステップＳ１３のＹ）、現在トレイ６２が開放されていれば（ステップＳ１４のＹ）、トレイ６２をクローズ（第１の位置への移動）する（ステップＳ１５）。このようなＤＶＤドライブ５５の開閉制御により、制御手段を実現している。
【００５７】
なお、前述のように、主電源スイッチの投入の有無という判断（ステップＳ１）だけでステップＳ５とＳ６を分けてもよいし（この場合は、主電源スイッチが投入されていないデジタル複写機１が通常の動作を不可能なときに、所定のエジェクトボタンなどが操作されたことを条件にトレイ６２を開放する）、操作パネルＰで所定の操作がされたか否かという判断（ステップＳ４）だけでステップＳ５とＳ６を分けてもよい。
【図面の簡単な説明】
【００５８】
【図１】本発明の実施の一形態のデジタルカラー複合機を含むシステム構成図である。
【図２】デジタルカラー複合機を概略的に示す外観斜視図である。
【図３】デジタルカラー複合機の各部の電気的接続を示すブロック図である。
【図４】デジタルカラー複合機の電源系統等の回路構成を示すブロック図である。
【図５】ＤＶＤドライブの電気的な接続を示すブロック図である。
【図６】デジタルカラー複合機の各部を集中的に制御するＣＰＵが実行する処理のフローチャートである。
【図７】ＤＶＤドライブのＭＰＵが実行する処理のフローチャートである。
【符号の説明】
【００５９】
１  情報処理システム
Ａ  親装置
Ｂ  装置本体、情報処理装置
Ｐ      入力手段
３１  演算装置
６２  支持手段
【図１】
2005085396.tif 000003
【図２】
2005085396.tif 000004
【図３】
2005085396.tif 000005
【図４】
2005085396.tif 000006
【図５】
2005085396.tif 000007
【図６】
2005085396.tif 000008
【図７】
2005085396.tif 000009